(57)【要約】【課題】像加熱装置を大型化することなく、保持部材が撓んでしまうことで過熱保護体のヒータへの圧接力が小さくなってしまうことを抑制する。【解決手段】弾性変形可能な弾性部１５ｃを有する補強バネ１５がサーモスタットホルダ１４に設けられ、補強バネ１５は、サーモスタットバネ９及びサーモスタット７から曲げモーメントを受けることでサーモスタットホルダ１４に撓み力が作用すると、サーモスタットホルダ１４の撓み方向と逆方向の曲げモーメントをサーモスタットホルダ１４に付与する。【選択図】図１
2011128299.tif 000002
【特許請求の範囲】
【請求項１】
通電により発熱するヒータと、
前記ヒータに当接して設けられ、前記ヒータの異常発熱を感知した場合に前記ヒータへの通電を遮断する過熱保護体と、
前記過熱保護体を保持する保持部材と、
前記保持部材を付勢することで前記保持部材に保持された前記過熱保護体を前記ヒータに圧接させる付勢部材であって、前記保持部材のうち前記過熱保護体の両側の部位をそれぞれ付勢する２つの付勢部材と、
を有し、現像剤像が形成された記録材を加熱する像加熱装置であって、
弾性変形可能な弧状の弾性部を有する弾性部材が前記保持部材に設けられ、
前記弾性部材は、２つの前記付勢部材及び前記過熱保護体から曲げモーメントを受けることで前記保持部材に撓み力が作用すると、前記保持部材の撓み方向と逆方向の曲げモーメントを前記保持部材に付与することを特徴とする像加熱装置。
【請求項２】
前記弾性部材は、前記弾性部の曲率が自然状態に対して小さくなるように撓んだ状態で前記保持部材に設けられていることを特徴とする請求項１に記載の像加熱装置。
【請求項３】
前記弾性部の両端にそれぞれ前記付勢部材が設けられることで、前記弾性部材と前記付勢部材とが一体に構成されていることを特徴とする請求項１又は２に記載の像加熱装置。
【請求項４】
前記保持部材は、プラスチックで形成されていることを特徴とする請求項１乃至３のいずれか１項に記載の像加熱装置。
【請求項５】
前記過熱保護体は、サーモスタットであることを特徴とする請求項４に記載の像加熱装置。
【請求項６】
前記ヒータに摺動する可撓性スリーブを有し、
前記可撓性スリーブを介して前記ヒータと加圧部材との間に形成されたニップ部のうち、前記可撓性スリーブと前記加圧部材との間で、現像剤像が形成された記録材を挟持搬送して加熱することを特徴とする請求項１乃至５のいずれか１項に記載の像加熱装置。
【請求項７】
記録材に現像剤像を形成する画像形成手段と、
請求項１乃至６のいずれか１項に記載の像加熱装置と、
を備え、
前記画像形成手段により記録材に形成された現像剤像を前記像加熱装置により加熱することを特徴とする画像形成装置。
【発明の詳細な説明】
【技術分野】
【０００１】
本発明は、シート等の記録材上に画像を形成する機能を備えた、例えば、複写機、プリンタなどの画像形成装置に関し、特に、これらの装置に備えられる像加熱装置に関するものである。
【背景技術】
【０００２】
定着装置（像加熱装置）は、ヒータの熱を記録材に与え、記録材上のトナー像を溶融、定着させるものである。定着装置は、温度検知素子等の故障時にヒータが異常発熱した場合、ヒータへの通電を遮断するサーモスタットや温度ヒューズ等の過熱保護体を備えている（例えば、特許文献１，２参照）。以下に、従来の定着装置の一例について説明する。図５は、従来の定着装置の概略構成を示す断面図である。定着装置１０１は、定着フィルムユニット１２０と加圧ローラ１０６とを有し、次のようにして記録材Ｐに溶融トナーを定着させる。すなわち、ヒータ１０２の熱を、耐熱性プラスチックからなるヒータホルダ１０３の周りを回転する無端状の定着フィルム１０４を介して記録材Ｐに与え、記録材Ｐ上のトナー像Ｔを溶融させる。それと共に、不図示のバネが、略コの字の金属からなる定着ステー１０５、及び、ヒータホルダ１０３を介して、ヒータ１０２を加圧ローラ１０６に対して加圧し、その間を通過する記録材Ｐに溶融トナーを定着させる。
【０００３】
図６は、定着フィルムユニット１２０の概略構成を示す斜視図である。過熱保護体としてのサーモスタット１０７は、保持部材として耐熱性プラスチックからなるサーモスタットホルダ１０８により保持されている。そして、サーモスタット１０７は、定着ステー１０５とサーモスタットホルダ１０８との間で圧縮された圧縮バネであるサーモスタットバネ１０９により、ヒータ１０２に圧接されている。サーモスタット１０７は、ヒータ１０２の発熱抵抗に通電する電源ＰＳに直列に配置され、ヒータ１０２が所定の温度以上になると通電を遮断する（サーモスタットの構造に関しては、特許文献３参照）。図７（ａ）〜（ｃ）は、サーモスタットユニット１１０の概略構成を説明するための斜視図である。図７（ｂ）では、上側の図にサーモスタット１０７を、下側の図にサーモスタットホルダ１０８をそれぞれ示している。図７（ｃ）では、下側の図に、サーモスタットユニット１１０のうちヒータ１０２に圧接される側を示し、その裏側を上側の図に示している。サーモスタットバネ１０９は、サーモスタットホルダ１０８に設けられたボス１０８ｄに挿設されている。サーモスタット１０７は、次のようにしてサーモスタットホルダ１０８に保持されている。すなわち、本体部１０７ａが本体保持部１０８ａに挿設され、切り欠き部１０８ｂで折り返されサーモスタットバネ１０９を回避するように敷設された電線１０７ｂと電線１０７ｃが電線保持部１０８ｃに列設されて、サーモスタットホルダ１０８に保持されている。
【０００４】
従来から、定着装置の占有スペースを小さくするため、定着フィルムを小さくしたいという要求があった。それを実現する一つの手段として、図８（ａ）に示すように、サーモスタットバネ１０９を折り返したサーモスタット１０７の電線１０７ｂより長手方向外側へ配置した構成が挙げられる。図８（ｂ）のＢ−Ｂ断面図は図７（ｃ）に示されるサーモスタットユニット１１０を備えた定着フィルムユニットの概略図であり、図８（ｃ）のＣ−Ｃ断面図は図８（ａ）に示されるサーモスタットユニット１１２を備えた定着フィルムユニットの概略図である。図８（ｂ）において折り返したサーモスタット１０７の電線１０７ｂと同一断面上に存在していたサーモスタットバネ１０９が、図８（ｃ）においては存在しない。従って、サーモスタットユニット１１２の構成においては、定着ステー１０５、定着フィルム１０４を小さくすることが可能となるのである。
【先行技術文献】
【特許文献】
【０００５】
【特許文献１】特開平６−３１４０４０号公報
【特許文献２】特開平５−３２３８２８号公報
【特許文献３】特開２００３−０４５３０４号公報
【発明の概要】
【発明が解決しようとする課題】
【０００６】
しかしながら、サーモスタットユニット１１２の構成には以下の課題がある。図９は、サーモスタットホルダ１１１に働く力を示したものである。サーモスタットホルダ１１１は、両端にサーモスタットバネ１０９の力ｆｓを受け、中央にその合力２ｆｓと同等の抗力ｆｔをサーモスタット１０７から受ける。そのため、サーモスタットホルダ１１１は矢印１１３方向に撓み、さらにその状態で長期保管するとクリープしてしまう。その結果、撓んだ分だけ、サーモスタットバネ１０９の動作長が大きくなり、サーモスタット１０７をヒータ１０２へ圧接する力が小さくなってしまう。そうなると、ヒータ１０２の異常発熱時にサーモスタット１０７がヒータ１０２への通電を遮断するまでの時間が遅くなるという問題が生じる可能性がある。
【０００７】
サーモスタットホルダ１１１の材質を、プラスチックより剛性のあるセラミック、金属に変更することで撓みとクリープを防止することは可能である。しかし、セラミックは脆性破壊しやすく、金属はサーモスタット１０７の端子部１０７ｄと接触しショートしてしまうことが懸念される。また、サーモスタットホルダ１１１を剛性のある形状にしようとすると、結局、スペースが必要となってしまう。
【０００８】
本発明は上記したような事情に鑑みてなされたものであり、像加熱装置を大型化することなく、保持部材が撓んでしまうことで過熱保護体のヒータへの圧接力が小さくなってしまうことを抑制することを目的とする。
【課題を解決するための手段】
【０００９】
上記目的を達成するために本発明にあっては、
通電により発熱するヒータと、
前記ヒータに当接して設けられ、前記ヒータの異常発熱を感知した場合に前記ヒータへの通電を遮断する過熱保護体と、
前記過熱保護体を保持する保持部材と、
前記保持部材を付勢することで前記保持部材に保持された前記過熱保護体を前記ヒータに圧接させる付勢部材であって、前記保持部材のうち前記過熱保護体の両側の部位をそれぞれ付勢する２つの付勢部材と、
を有し、現像剤像が形成された記録材を加熱する像加熱装置であって、
弾性変形可能な弧状の弾性部を有する弾性部材が前記保持部材に設けられ、
前記弾性部材は、２つの前記付勢部材及び前記過熱保護体から曲げモーメントを受けることで前記保持部材に撓み力が作用すると、前記保持部材の撓み方向と逆方向の曲げモーメントを前記保持部材に付与することを特徴とする。
【発明の効果】
【００１０】
本発明によれば、像加熱装置を大型化することなく、保持部材が撓んでしまうことで過熱保護体のヒータへの圧接力が小さくなってしまうことを抑制することが可能となる。
【図面の簡単な説明】
【００１１】
【図１】実施例１のサーモスタットユニットの概略構成を示す斜視図。
【図２】実施例１の定着装置の概略構成を示す断面図。
【図３】実施例１に係る画像形成装置の概略構成を示す断面図。
【図４】実施例２のサーモスタットユニットの概略構成を示す斜視図。
【図５】従来例の定着装置の概略断面図。
【図６】従来例の定着フィルムユニットの概略構成を示す斜視図。
【図７】従来例のサーモスタットユニットの概略構成を示す斜視図。
【図８】従来例のサーモスタットユニットの概略構成を示す斜視図。
【図９】従来例のサーモスタットホルダに働く力を示す図。
【発明を実施するための形態】
【００１２】
以下に図面を参照して、この発明を実施するための形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００１３】
以下に、本発明の実施例１に係る画像形成装置について説明する。図３は、本実施例に係る画像形成装置の概略構成を示す断面図である。図３において、５１は画像形成装置としてのプリンタ本体である。また、５２はプリンタ本体５１に設けられ、電子写真方式により画像形成を行う画像形成部（画像形成手段）である。この画像形成部５２はトナー像を形成する感光体ドラム５３、感光体ドラム５３に形成されたトナー像を記録材Ｐに転写する転写ローラ５４などを備えている。このような構成の画像形成部５２において、画像形成動作が開始されると、まずレーザスキャナにより画像信号に応じた光５６が感光体ドラム５３に照射される。すると、このような光５６が照射されることで、感光体ドラム５３上に潜像が形成される。次に、感光体ドラム５３上に形成された潜像が、トナーカートリッジ５５に収納された現像剤としてのトナーで現像されることにより、感光体ドラム５３上にトナー画像（現像剤像）が形成される。また、このようなトナー画像形成動作に並行して記録材収納カセットから記録材Ｐが給送される。すると、この記録材Ｐは、搬送ローラ及びレジストローラによって感光体ドラム５３に形成されたトナー画像と同期をとって感光体ドラム５３と転写ローラ５４とにより構成される転写部に搬送される。そして、この転写部において、転写ローラ５４にバイアスが印加されることによってトナー画像が記録材Ｐへ転写される。
【００１４】
このようなトナー画像が転写された記録材Ｐは、この後、像加熱手段としての定着装置１へ搬送され、この定着装置１において加熱されることによりトナー画像が記録材Ｐに定着される。
【００１５】
図２は、定着装置１の概略構成を示す断面図である。定着装置１は、定着フィルムユニット２０と、加圧部材としての加圧ローラ６とを有し、不図示のバネが、略コの字の金属からなる定着ステー５、及び、ヒータホルダ３を介して、ヒータ２を加圧ローラ６に対して加圧している。そして、耐熱性プラスチックからなるヒータホルダ３の周りを回転する無端状の定着フィルム４を介してヒータ２と加圧ローラ６との間に形成されたニップ部Ｎで、記録材Ｐを挟持搬送することで、記録材Ｐに溶融トナーを定着させている。すなわち、ニップ部Ｎで記録材Ｐを挟持搬送し、通電により発熱するヒータ２の熱を、定着フィルム４を介して記録材Ｐに与えることで、記録材Ｐ上のトナー像Ｔを溶融させ、ニップ部Ｎで加圧することで、記録材Ｐに溶融トナーを定着させている。ここで、定着フィルム４はヒータ２に摺動する可撓性スリーブに相当する。
【００１６】
図１（ａ）は、本実施例におけるサーモスタットユニット１６の概略構成を示す斜視図である。過熱保護体としてのサーモスタット７は、保持部材として耐熱性プラスチックからなるサーモスタットホルダ１４に保持されている。ここで、過熱保護体は、背景技術の
項で説明したように、ヒータ２に当接して設けられ、ヒータ２の異常発熱を感知した場合にヒータ２への通電を遮断するものである。また、定着フィルムユニット２０（サーモスタットユニット１６、サーモスタットホルダ１４）は、ニップ部Ｎで挟持搬送される記録材Ｐの画像形成面のうち記録材搬送方向に直交する幅方向を長手方向とするように構成されている。そして、付勢部材として圧縮バネからなるサーモスタットバネ９は、サーモスタットホルダ１４において、折り返したサーモスタット７の電線７ｂより長手方向外側に配設されている。ここで、サーモスタットバネ９は、サーモスタットホルダ１４を付勢することでサーモスタットホルダ１４に保持されたサーモスタット７をヒータ２に圧接させるものである。また、サーモスタットバネ９は、長手方向において、サーモスタット７とヒータ２との当接部７ａを挟んでサーモスタットホルダ１４の両側（両端側）の部位をそれぞれ付勢するものである。本実施例においては、弾性変形可能な弾性部材として線状（棒状）の硬鋼線（ＪＩＳ  Ｇ３５２１）からなる補強バネ１５がサーモスタットホルダ１４に屈設されている。ここで、補強バネ１５は、弾性変形可能な弾性部１５ｃを有し、弾性部１５ｃの両端側に設けられた端部（一端１５ａ，１５ｂ）がサーモスタットホルダ１４に取り付けられている。補強バネ１５は、サーモスタットホルダ１４に対して次のように設けられている。補強バネ１５は、弾性部１５ｃの両端部（１５ａ，１５ｂ）が、長手方向において、サーモスタット７とヒータ２の当接部７ａを挟んで両端側にそれぞれ設置されている。サーモスタット７の電線７ｂ，７ｃの取り回しに関しては、従来例で説明した電線１０７ｂ，１０７ｃと同様である。
【００１７】
図１（ｂ）は、補強バネ１５のサーモスタットホルダ１４への組み付けを示す概略斜視図である。次のようにして補強バネ１５をサーモスタットホルダ１４に組み付けている。補強バネ１５の一端１５ａを係止部（取付部）１４ｅに挿入させた後、自然状態では湾曲した形状（弧状、弓状、弓なり状）に曲がった弾性部１５ｃを点線のように曲率が小さくなるように撓ませながら溝１４ｆに収め、もう一端１５ｂを係止部１４ｇに係止させる。このとき、補強バネ１５は、自然状態における弾性部１５ｃの湾曲形状が、サーモスタットバネ９がサーモスタットホルダ１４を付勢する方向に向かって凸となるような状態で、サーモスタットホルダ１４に取り付けられている。このようにして、補強バネ１５をサーモスタットホルダ１４に付設（設置）する。このように補強バネ１５は、弾性部１５ｃの両端部（１５ａ，１５ｂ）が、サーモスタットホルダ１４に係止される（取り付けられる）。
【００１８】
図１（ｃ）は、本実施例におけるサーモスタットホルダ１４に働く力を示したものである。サーモスタットホルダ１４は、長手方向両端部においてそれぞれサーモスタットバネ９の力ｆｓを受け、長手方向中央部にその合力２ｆｓと同等の抗力ｆｔをサーモスタット７から受ける。このことで、サーモスタットホルダ１４は矢印１３方向に撓もうとする。すなわち、サーモスタットホルダ１４は、サーモスタットバネ９及びサーモスタット７から曲げモーメント（矢印１３方向）を受ける。このことで、サーモスタットホルダ１４に撓み力が作用することとなる。
【００１９】
これに対して本実施例では、サーモスタットホルダ１４に補強バネ１５を設けているので、サーモスタットホルダ１４は、両端に、屈設された補強バネ１５が自然状態に戻ろうとする力（弾性力）を受ける。そして、補強バネ１５が自然状態に戻ろうとする際、弾性部１５ｃの曲率が大きくなるように撓むことで、サーモスタットホルダ１４には、図１（ｃ）にＭで示す曲げモーメントが作用する。つまり、補強バネ１５は、サーモスタットホルダ１４の撓み方向（矢印１３方向）と逆方向の曲げモーメントＭをサーモスタットホルダ１４に付与していることとなる。
【００２０】
これは、次のように換言することもできる。サーモスタットホルダ１４は、両端に屈設された補強バネ１５が自然状態に戻ろうとする力ｆｒ、中央にその合力２ｆｒと同等の反
力を受ける。つまり、補強バネ１５は、サーモスタットホルダ１４が矢印１３方向に撓むことを防止する力をサーモスタットホルダ１４に付与している。
【００２１】
以上のように、本実施例では、補強バネ１５は、弾性部１５ｃが弾性変形した状態でサーモスタットホルダ１４に設けられることで、弾性部１５ｃの自然状態に戻ろうとする弾性力がサーモスタットホルダ１４に作用するように構成されている。このことで、サーモスタットホルダ１４の撓み方向（矢印１３方向）と逆方向の曲げモーメントＭをサーモスタットホルダ１４に付与することができる。これにより、従来例（図９参照）と比較し、サーモスタットホルダ１４に生じる撓みを小さくすることが可能となる。したがって、サーモスタットホルダ１４の撓みを抑制することができ、また、撓んだ状態で長期間経過することで生じるクリープを抑制することが可能となる。
【００２２】
また、線状の弾性部材として補強バネ１５のみをサーモスタットホルダ１４に付設するため、スペースを拡大する必要がない。図２の断面図からも、サーモスタットホルダ１４を、図８（ｃ）に示す従来のサーモスタットホルダ１１１に対して大きくすることなく補強バネ１５を付設することができることがわかる。このため、定着ステー５、及び、定着フィルム４を大きく（大型化）する必要がなく、定着装置の省スペース化を実現することが可能となる。ここで、本実施例では、補強バネ１５の材質は硬鋼線としたが、これに限らず、ピアノ線（ＪＩＳ  Ｇ３５２２）等の線状の弾性体であってもよい。
【００２３】
ここで、本実施例においては、自然状態では湾曲した形状に曲がった弾性部１５ｃを曲率が小さくなるように撓ませることで、補強バネ１５をサーモスタットホルダ１４に付設していたが、これに限るものではない。湾曲した形状に曲がった弾性部１５ｃを自然状態としたまま、補強バネ１５をサーモスタットホルダ１４に取り付けるような構成としてもよい。この場合には、サーモスタットバネ９及びサーモスタット７から曲げモーメントを受け、サーモスタットホルダ１４に撓み力が作用することで、補強バネ１５のバネ力（弾性力）がサーモスタットホルダ１４に作用する。この補強バネ１５のバネ力の作用により、サーモスタットホルダ１４の撓み方向と逆方向の曲げモーメントがサーモスタットホルダ１４に付与されることとなる。また、本実施例においては、定着フィルム４がヒータ２に摺動する定着フィルムユニットについて説明したが、これに限るものではない。本発明は、過熱保護体を保持する保持部材を付勢することで保持部材に保持された過熱保護体をヒータに圧接させる付勢部材が、保持部材のうち過熱保護体の両側の部位をそれぞれ付勢するように設けられた像加熱装置であれば好適に適用できる。
【実施例２】
【００２４】
図４（ａ）は、本発明の実施例２におけるサーモスタットユニット１７の概略構成を示す斜視図である。なお、上述した実施例１と同様の構成部分は同一の符号を付して、その説明は省略する。サーモスタット７は、保持部材として耐熱性プラスチックからなるサーモスタットホルダ１８に保持されている。そして、付勢部材として圧縮バネからなるサーモスタットバネ１９ａ，１９ｂは折り返したサーモスタット７の電線７ｂより長手方向外側に配設されている。本実施例においては、２つのサーモスタットバネ１９ａ，１９ｂは、同材質、同径の弓状に曲がった弾性部材（弾性部）としての補強バネ１９ｃで連結されており、２つのサーモスタットバネ１９ａ，１９ｂと補強バネ１９ｃは一体に構成されている。補強バネ１９ｃはサーモスタットホルダ１８に屈設されている。ここで、補強バネ１９ｃの機能としては、実施例１の弾性部１５ｃと同様である。
【００２５】
図４（ｂ）は、補強バネ１９ｃにより連結されたサーモスタットバネ１９ａ，１９ｂのサーモスタットホルダ１８への組み付けを示す概略斜視図である。一方のサーモスタットバネ１９ａをボス１８ａに挿入した後、自然状態では弓状に曲がった補強バネ１９ｃを点線のように曲率が小さくなるように撓ませながら、溝１８ｆに収め、もう一方のサーモス
タットバネ１９ｂをボス１８ｂに挿入する。サーモスタットユニット１７単体の状態では補強バネ１９ｃが自然状態に戻ろうとするため、サーモスタットホルダ１８には、それを規制するための係止部１８ｈ，１８ｉが設けられている。
【００２６】
図４（ｃ）は、本実施例におけるサーモスタットホルダ１８に働く力を示したものである。本実施例においても、サーモスタットホルダ１８は、長手方向両端部においてそれぞれサーモスタットバネ１９ａ，１９ｂの力ｆｓを受け、長手方向中央部にその合力２ｆｓと同等の抗力ｆｔをサーモスタット７から受ける。このことで、サーモスタットホルダ１４は矢印１３方向に撓もうとする。これに対して、サーモスタットバネ１９ａ，１９ｂに補強バネ１９ｃが一体に構成されているので、サーモスタットホルダ１８は、両端に、屈設された補強バネ１９ｃが自然状態に戻ろうとする力（弾性力）を受ける。そして、補強バネ１９ｃが自然状態に戻ろうとする際、曲率が大きくなるように撓むことで、サーモスタットホルダ１８には、図４（ｃ）にＭで示す曲げモーメントが作用する。つまり、補強バネ１９ｃは、サーモスタットホルダ１８の撓み方向（矢印１３方向）と逆方向の曲げモーメントＭをサーモスタットホルダ１８に付与していることとなる。
【００２７】
これは、次のように換言することもできる。サーモスタットホルダ１８は、長手方向両端部においてそれぞれ、サーモスタットバネ１９ａ，１９ｂの力ｆｓと補強バネ１９ｃが自然状態に戻ろうとする力ｆｒの合力ｆｓ−ｆｒを受ける。また、サーモスタットホルダ１８は、長手方向中央部に補強バネ１９ｃからの反力２ｆｒと、サーモスタット７からサーモスタットバネ１９ａ，１９ｂの合力２ｆｓと同等の抗力ｆｔを受ける。つまり、サーモスタットホルダ１８の長手方向両端部にそれぞれ働く力が、従来例（図９参照）と比較しｆｒだけ小さくなるため、サーモスタットホルダ１８の矢印１３方向への撓みを小さくすることができる。
【００２８】
このように、本実施例においても、上述した実施例１と同様の効果を得ることが可能となる。さらに、本実施例においては、サーモスタットバネ１９ａ，１９ｂと補強バネ１９ｃを一体に構成したことにより、部品点数が少なくなり、組み立て作業性を向上させることができる。
【符号の説明】
【００２９】
１  定着装置  ；  ２  ヒータ  ；  ７  サーモスタット  ；  ９  サーモスタットバネ  ；  １４  サーモスタットホルダ  ；  １５  補強バネ
【図１】
2011128299.tif 000003
【図２】
2011128299.tif 000004
【図３】
2011128299.tif 000005
【図４】
2011128299.tif 000006
【図５】
2011128299.tif 000007
【図６】
2011128299.tif 000008
【図７】
2011128299.tif 000009
【図８】
2011128299.tif 000010
【図９】
2011128299.tif 000011